(57)【要約】【課題】熱効率に優れた吸収ヒートポンプ利用濃縮装置を提供する。【解決手段】被濃縮液供給管３１を介して濃縮器１０に供給される果汁、食塩水、ミルクなどの被濃縮液を、吸収器４の伝熱管４Ａと、第２のリソーバ６の伝熱管６Ａと、第１のリソーバ５の伝熱管５Ａと、凝縮器２の伝熱管２Ａとを経由させて加熱し、温水管路２０を介して循環供給する温水により加熱して水蒸気を蒸発させ、濃縮した液は濃縮液排出管３２に排出し、濃縮器１０で生成した水蒸気は熱源として蒸発器３の伝熱管３Ａと、第１のデソーバ７の伝熱管７Ａと、第２のデソーバ８の伝熱管８Ａとに供給し、熱源供給管１８を介して再生器１の伝熱管１Ａに導入する駆動熱源の流量を減らせるようにした。【選択図】      図１
2004270996.tif 000002
【特許請求の範囲】
【請求項１】
吸収液を加熱して吸収液から冷媒を蒸発分離する再生器と、再生器から供給される冷媒蒸気を冷却して凝縮させる凝縮器と、凝縮器から供給される冷媒液を加熱して蒸発させる蒸発器と、冷媒を蒸発分離して再生器から供給される冷媒の濃度が低下した吸収液に冷媒を吸収させ、再生器から供給される吸収液と熱交換させて再生器に戻す吸収器と、蒸発器から供給される冷媒蒸気を吸収液に吸収させる第１のリソーバと、冷媒を吸収して第１のリソーバから供給される冷媒の濃度が上昇した吸収液を加熱して冷媒を吸収液から蒸発分離し冷媒の濃度が低下した吸収液を、第１のリソーバから供給される吸収液と熱交換させて第１のリソーバに戻す第１のデソーバと、第１のデソーバから供給される冷媒蒸気を吸収液に吸収させる第２のリソーバと、冷媒を吸収して第２のリソーバから供給される冷媒の濃度が上昇した吸収液を加熱して冷媒を吸収液から蒸発分離し冷媒の濃度が低下した吸収液を、第２のリソーバから供給される吸収液と熱交換させて第２のリソーバに戻すと共に、吸収液から蒸発分離した冷媒蒸気を吸収器に供給する第２のデソーバとを備えたことを特徴とする吸収ヒートポンプ装置。
【請求項２】
請求項１記載の吸収ヒートポンプ装置の吸収器、第２のリソーバ、第１のリソーバ、および凝縮器を経由して加熱された熱流体によって溶液を加熱して濃縮すると共に、溶液から生成した蒸気を少なくとも蒸発器、第１のデソーバ、第２のデソーバの何れかに熱源として供給する濃縮器を備えたことを特徴とする吸収ヒートポンプ利用濃縮装置。
【請求項３】
吸収液から冷媒を蒸発分離するために再生器に供給された駆動熱源の廃熱を有する流体と、加熱・濃縮作用を終えて濃縮器から吐出し、吸収器、第１、第２リソーバ、および凝縮器を迂回して濃縮器に戻る熱流体とを熱交換して駆動熱源の廃熱を濃縮器に還流する熱流体に回収する熱回収器が設けられたことを特徴とする請求項２記載の吸収ヒートポンプ利用濃縮装置。
【請求項４】
濃縮器に供給されて濃縮される溶液と濃縮器で生成された蒸気の一部とを熱交換して濃縮器に供給される溶液を予熱する予熱器が設けられたことを特徴とする請求項２または３記載の吸収ヒートポンプ利用濃縮装置。
【請求項５】
濃縮器内部の圧力、または前記圧力に関連した物理量に基づいて再生器に供給する駆動熱源の熱量を制御する制御手段が設けられたことを特徴とする請求項２〜４何れかに記載の吸収ヒートポンプ利用濃縮装置。
【請求項６】
濃縮器で濃縮さる溶液が果汁などの食品であることを特徴とする請求項２〜５何れかに記載の吸収ヒートポンプ利用濃縮装置。
【発明の詳細な説明】
【０００１】
【発明の属する技術分野】
本発明は、再生器、凝縮器、蒸発器、吸収器などと共に、リソーバとデソーバとを備えて構成される吸収ヒートポンプ装置とその利用装置に関する。
【０００２】
【従来の技術】
この種の吸収ヒートポンプ装置として、例えば図２に示したように再生器１、凝縮器２、蒸発器３、吸収器４、リソーバ５Ｘ、デソーバ６Ｘなどを配管接続して構成した吸収ヒートポンプ装置１００Ｘが周知である（特許文献１参照）。
【０００３】
図２に示した吸収ヒートポンプ装置１００Ｘにおいては、▲１▼凝縮器２の伝熱管２Ａの内部を流れる冷却水が、再生器１から供給される冷媒蒸気の熱を奪って凝縮させて冷却水自身の温度を上昇させる、▲２▼吸収器４の伝熱管４Ａとリソーバ５Ｘの伝熱管５Ａの内部を流れる冷却水が、伝熱管４Ａにおいてはデソーバ６Ｘから吸収器４に供給される冷媒蒸気が再生器１から供給されて散布器４Ｂから散布される吸収液に吸収される際に生じる吸収熱を奪って自身の温度を上昇させ、伝熱管５Ａにおいては蒸発器３からリソーバ５Ｘに供給される冷媒蒸気がデソーバ６Ｘから供給されて散布器５Ｂから散布される吸収液に吸収される際に生じる吸収熱を奪って冷却水自身の温度を上昇させるので、温度上昇したそれら冷却水を用いた暖房などの加熱作用が行える。
【０００４】
そして、上記構成の吸収ヒートポンプ装置１００Ｘは、蒸発器３とデソーバ６Ｘとで吸熱し、凝縮器２と第二種サイクルを構成するリソーバ５Ｘおよび第一種サイクルを構成する吸収器４で放熱するので、加熱利用時のＣＯＰが２以上となると云った利点がある。
【０００５】
【特許文献１】
特開２００１−８２８２５（図１）
【０００６】
【発明が解決しようとする課題】
しかし、上記構成の吸収ヒートポンプにおいて、加熱が一層効率良く行えるようにするためには、吸収ヒートポンプ装置自体の構成に一層の工夫を加えると共に、熱負荷、すなわち加熱される側を含めた全体で熱がさらに効率良く利用されるようにする必要があり、それが解決すべき課題となっていた。
【０００７】
【課題を解決するための手段】
上記課題を解決すべく本発明は、吸収液を加熱して吸収液から冷媒を蒸発分離する再生器と、再生器から供給される冷媒蒸気を冷却して凝縮させる凝縮器と、凝縮器から供給される冷媒液を加熱して蒸発させる蒸発器と、冷媒を蒸発分離して再生器から供給される冷媒の濃度が低下した吸収液に冷媒を吸収させ、再生器から供給される吸収液と熱交換させて再生器に戻す吸収器と、蒸発器から供給される冷媒蒸気を吸収液に吸収させる第１のリソーバと、冷媒を吸収して第１のリソーバから供給される冷媒の濃度が上昇した吸収液を加熱して冷媒を吸収液から蒸発分離し冷媒の濃度が低下した吸収液を、第１のリソーバから供給される吸収液と熱交換させて第１のリソーバに戻す第１のデソーバと、第１のデソーバから供給される冷媒蒸気を吸収液に吸収させる第２のリソーバと、冷媒を吸収して第２のリソーバから供給される冷媒の濃度が上昇した吸収液を加熱して冷媒を吸収液から蒸発分離し冷媒の濃度が低下した吸収液を、第２のリソーバから供給される吸収液と熱交換させて第２のリソーバに戻すと共に、吸収液から蒸発分離した冷媒蒸気を吸収器に供給する第２のデソーバとを備えるようにした吸収ヒートポンプ装置と、
【０００８】
前記吸収ヒートポンプ装置の吸収器、第２のリソーバ、第１のリソーバ、および凝縮器を経由して加熱された熱流体によって溶液を加熱して濃縮すると共に、溶液から生成した蒸気を少なくとも蒸発器、第１のデソーバ、第２のデソーバの何れかに熱源として供給する濃縮器を備えるようにした第１の構成の吸収ヒートポンプ利用濃縮装置と、
【０００９】
前記第１の構成の吸収ヒートポンプ利用濃縮装置において、吸収液から冷媒を蒸発分離するために再生器に供給された駆動熱源の廃熱を有する流体と、加熱・濃縮作用を終えて濃縮器から吐出し、吸収器、第１、第２リソーバ、および凝縮器を迂回して濃縮器に戻る熱流体とを熱交換して駆動熱源の廃熱を濃縮器に還流する熱流体に回収する熱回収器を備えるようにした第２の構成の吸収ヒートポンプ利用濃縮装置と、
【００１０】
前記第１または第２の構成の吸収ヒートポンプ利用濃縮装置において、濃縮器に供給されて濃縮される溶液と濃縮器で生成された蒸気の一部とを熱交換して濃縮器に供給される溶液を予熱する予熱器を備えるようにした第３の構成の吸収ヒートポンプ利用濃縮装置と、
【００１１】
前記第１〜第３何れかの構成の吸収ヒートポンプ利用濃縮装置において、濃縮器内部の圧力、または前記圧力に関連した物理量に基づいて再生器に供給する駆動熱源の熱量を制御する制御手段を備えるようにした第４の構成の吸収ヒートポンプ利用濃縮装置と、
【００１２】
前記第１〜第４何れかの構成の吸収ヒートポンプ利用濃縮装置において、濃縮器で濃縮さる溶液が果汁などの食品である第５の構成の吸収ヒートポンプ利用濃縮装置と、
を提供するものである。
【００１３】
【発明の実施の形態】
以下、本発明の一実施形態を図１に基づいて詳細に説明する。なお、理解を容易にするため、図１においても前記図２において説明した部分と同様の機能を有する部分には、同一の符号を付した。
【００１４】
図１に例示した吸収ヒートポンプ利用濃縮装置２００は、冷媒に水、吸収液に臭化リチウム水溶液などを使用する吸収ヒートポンプ装置１００で生成する熱を用いて、果汁、食塩水、ミルクなどを濃縮器１０において濃縮する装置である。
【００１５】
吸収ヒートポンプ装置１００は、内部に伝熱管１Ａが設けられ、その伝熱管１Ａに熱源供給管１８を介して供給される駆動熱源、例えば高温の水蒸気により吸収液を加熱して吸収液から冷媒を蒸発分離し、吸収液を冷媒の吸収が可能な状態に再生する再生器１と、この再生器１から供給される冷媒蒸気を冷却して凝縮させる凝縮器２と、この凝縮器２から冷媒液管２１を介して供給される冷媒液を加熱して蒸発させる蒸発器３と、冷媒を蒸発分離して再生器１から吸収液管２３を介して供給される冷媒の濃度が低下した吸収液に冷媒を吸収させ、再生器１から供給されている吸収液と熱交換器１１で熱交換させて再生器１に吸収液管２４を介して戻す吸収器４とを備えている。
【００１６】
なお、吸収液管２４には吸収液ポンプＰ１が設けられている。また、熱源供給管１８を介して駆動熱源である高温の水蒸気が供給される伝熱管１Ａの出口側に連結された廃熱管１９には、スチームトラップ１９Ａと熱回収器１４とが直列に設けられ、伝熱管１Ａで再生器１内の吸収液を加熱・再生して放熱し、凝縮して廃熱管１９に吐出した駆動熱源のドレンが、熱回収器１４に気液混合状態で供給されて熱交換効率を低下させることがないように構成されている。
【００１７】
また、吸収ヒートポンプ装置１００は、蒸発器３から供給される冷媒蒸気を吸収液に吸収させる第１のリソーバ５と、冷媒を吸収して第１のリソーバ５から吸収液管２５を介して供給される冷媒の濃度が上昇した吸収液を加熱して冷媒を吸収液から蒸発分離し冷媒の濃度が低下した吸収液を、第１のリソーバ５から供給される吸収液と熱交換器１２で熱交換させて第１のリソーバ５に吸収液管２６を介して戻す第１のデソーバ７と、第１のデソーバ７から供給される冷媒蒸気を吸収液に吸収させる第２のリソーバ６と、冷媒を吸収して第２のリソーバ６から吸収液管２７を介して供給される冷媒の濃度が上昇した吸収液を加熱して冷媒を吸収液から蒸発分離し冷媒の濃度が低下した吸収液を、第２のリソーバ６から供給される吸収液と熱交換器１３で熱交換させて第２のリソーバ６に吸収液管２８を介して戻すと共に、吸収液から蒸発分離した冷媒蒸気を吸収器４に供給する第２のデソーバ８とを備えている。
【００１８】
なお、吸収液管２６には吸収液ポンプＰ２が設けられ、吸収液管２８には吸収液ポンプＰ３が設けられている。また、第１のリソーバ５と第１のデソーバ７とは、開閉弁２９Ａが介在する抽気管２９により連通可能に連結され、第２のリソーバ６と第２のデソーバ８とは、開閉弁３０Ａが介在する抽気管３０により連通可能に連結されている。抽気管２９、３０に介在する開閉弁２９Ａ、３０Ａは、手動弁であっても良いし、自動弁であっても良い。
【００１９】
また、吸収ヒートポンプ装置１００には、温水ポンプＰ５が介在する温水管路２０が図１に示したように設けられ、吸収器４の内部に設けられた伝熱管４Ａと、第２のリソーバ６の内部に設けられた伝熱管６Ａと、第１のリソーバ５の内部に設けられた伝熱管５Ａと、凝縮器２の内部に設けられた伝熱管２Ａとで順次加熱された温水が、濃縮器１０の伝熱管１０Ａに循環供給可能となっている。
【００２０】
なお、温水管路２０は、温水ポンプＰ５が介在する温水管２０Ａと、伝熱管４Ａ、６Ａ、５Ａ、２Ａが介在する温水管２０Ｂと、熱回収器１４が介在する温水管２０Ｃとからなり、温水管２０Ａは濃縮器１０の温水出口より延設されて終端側が温水管２０Ｂと２０Ｃとに分岐し、温水管２０Ｂは終端部が濃縮器１０の温水入口まで延設され、温水管２０Ｃは伝熱管４Ａ、６Ａ、５Ａ、２Ａを迂回して温水管２０Ｂと並列に設けられ、温水管２０Ｂの濃縮器１０温水入口側に合流している。
【００２１】
したがって、伝熱管１Ａで再生器１内の吸収液を加熱・再生し、凝縮して廃熱管１９に吐出した駆動熱源のドレンが保有する廃熱は、温水管２０Ｃを流れる温水と熱交換し回収される。なお、伝熱管４Ａ、６Ａ、５Ａ、２Ａが介在する温水管２０Ｂには温水管２０Ａを流れてきた温水の、例えば大凡９７％が流れるように管径などが選択される（流量制御弁などにより流量比率を変更可能に構成しても良いし、装置毎に特定の比率が選択・固定されても良い）。
【００２２】
また、吸収ヒートポンプ装置１００には、蒸発器３内に設けられた伝熱管３Ａが介在して蒸気の入口から出口まで延設された蒸気管３６と、蒸発器３入口側で蒸気管３６から分岐し、第１のデソーバ７内に設けられた伝熱管７Ａが介在して終端側が蒸気管３６の蒸気出口側に合流する蒸気管３７と、第１のデソーバ７入口側で蒸気管３７から分岐し、第２のデソーバ８内に設けられた伝熱管８Ａが介在して終端側が蒸気管３６の蒸気出口側に合流する蒸気管３８とが設けられている。
【００２３】
一方、濃縮器１０には、予熱器１５が介在する被濃縮液供給管３１と、濃縮液排出管３２と、蒸気管３３とが連結されて、被濃縮液供給管３１を介して濃縮器１０に供給された果汁などの被濃縮液を、吸収ヒートポンプ装置１００の温水管路２０から伝熱管１０Ａに循環供給する温水により加熱して濃縮し、濃縮した液は濃縮液排出管３２から排出し、生成した蒸気は蒸気管３３から排出することが可能に構成されている。
【００２４】
そして、蒸気管３３の終端側は、予熱器１５を経由する蒸気管３４と、吸収ヒートポンプ装置１００の蒸気管３６に連結される蒸気管３５とに分岐し、濃縮器１０で加熱・生成され、蒸気管３３に吐出した水蒸気の一部は被濃縮液供給管３１に介在する予熱器１５に蒸気管３４を介して供給されるので、濃縮器１０に供給されている果汁などの被濃縮液は予熱器１５において予熱される。
【００２５】
また、吸収ヒートポンプ利用濃縮装置２００は、圧力センサ１６が計測する濃縮器１０内の圧力に基づいて、熱源供給管１８に設置された流量制御弁１８Ａの開度を調整し、伝熱管１Ａに導入する駆動熱源である高温蒸気の流量を調節して再生器１に供給する熱量を制御する制御器１７とを備えている。
【００２６】
上記構成の本発明の吸収ヒートポンプ利用濃縮装置２００においては、再生器１の伝熱管１Ａに例えばコージェネレーションシステムなどから廃熱として供給される１３０℃程度の飽和水蒸気が導入されると、吸収器４から吸収液ポンプＰ１により吸収液管２４を介して供給され、散布器１Ｂから伝熱管１Ａの上に散布される吸収液が加熱・再生され、凝縮器２に供給する冷媒蒸気が発生する。
【００２７】
また、蒸発器３の内部に設けられた伝熱管３Ａには、濃縮器１０で果汁などの被濃縮液から生成された水蒸気が蒸気管３３、３５、３６を介して供給されるため、凝縮器２から冷媒液管２１を介して供給され、冷媒液管２２の冷媒ポンプＰ４により散布器３Ｂから伝熱管３Ａの上に散布される冷媒液が加熱され、第１のリソーバ５に供給する冷媒蒸気が発生する。
【００２８】
第１のデソーバ７、第２のデソーバ８に設けられた伝熱管７Ａ、８Ａにも、濃縮器１０で果汁などの被濃縮液から生成された水蒸気が蒸気管３３、３５、３６、３７、あるいは蒸気管３３、３５、３６、３７、３８を介して供給されるため、第１のリソーバ５から吸収液管２５を介して供給され、散布器７Ｂから伝熱管７Ａの上に散布される吸収液も、第２のリソーバ６から吸収液管２７を介して供給され、散布器８Ｂから伝熱管８Ａの上に散布される吸収液も加熱・再生され、第２のリソーバ６、吸収器４それぞれに供給する冷媒蒸気が発生する。
【００２９】
そして、吸収器４の伝熱管４Ａ、第２のリソーバ６の伝熱管６Ａ、第１のリソーバ５の伝熱管５Ａ、凝縮器２の伝熱管２Ａには、濃縮器１０の伝熱管１０Ａで果汁などの被濃縮液を加熱して水蒸気を発生させ、温度を下げた水の多くが温水ポンプＰ５の運転により温水管２０Ａ、２０Ｂを介して順次供給される。
【００３０】
そのため、伝熱管４Ａ、６Ａ、５Ａ、２Ａの内部を流れる水は、先ず再生器１から吸収液管２３を介して供給され、散布器４Ｂから伝熱管４Ａの上に散布された吸収液が第２のデソーバ８から吸収器４に供給された冷媒蒸気を吸収する際に生成される吸収熱により加熱され、続いて第２のデソーバ８から吸収液ポンプＰ３により吸収液管２８を介して供給され、散布器６Ｂから伝熱管６Ａの上に散布された吸収液が第１のデソーバ７から第２のリソーバ６に供給された冷媒蒸気を吸収する際に生成される吸収熱により加熱され、第１のデソーバ７から吸収液ポンプＰ２により吸収液管２６を介して供給され、散布器５Ｂから伝熱管５Ａの上に散布された吸収液が蒸発器３から第１のリソーバ５に供給された冷媒蒸気を吸収する際に生成される吸収熱により加熱され、さらに再生器１から供給された冷媒蒸気が伝熱管２Ａに触れて凝縮する際に出る凝縮熱により加熱される。
【００３１】
また、濃縮器１０の伝熱管１０Ａで果汁などの被濃縮液を加熱して濃縮し、温度を下げた水の残余のものは、温水管２０Ａ、２０Ｃを経由して熱回収器１４に流れ、廃熱管１９を流れるドレンから駆動熱源の廃熱を温水に回収するため、温水管路２０を介して濃縮器１０に循環供給される温水の温度は上昇する。
【００３２】
すなわち、上記構成の本発明の吸収ヒートポンプ利用濃縮装置２００においては、再生器１内の伝熱管１Ａに例えばコージェネレーションシステムなどから廃熱として供給される１２５℃程度の飽和水蒸気が熱源供給管１８を介して導入することにより、被濃縮液供給管３１を介して供給される果汁、食塩水、ミルクなどを加熱して濃縮し、濃縮した液を濃縮液排出管３２に排出することができる。
【００３３】
そして、廃熱管１９を流れるドレンが保有する駆動熱源の廃熱は温水管２０Ｃを流れている水に熱回収器１４において回収され、濃縮器１０で被濃縮液から分離生成した水蒸気は蒸発器３、第１のデソーバ７、第２のデソーバ８に熱源として供給されるため、駆動熱源として熱源供給管１８を介して再生器１の伝熱管１Ａに導入する熱量は少なくて済み、全体の熱効率が高いと云った特長がある。
【００３４】
なお、駆動熱源として再生器１の伝熱管１Ａに熱源供給管１８を介して供給する高温蒸気の量は、圧力センサ１６が計測する濃縮器１０内が所定の圧力、例えば１０ｋＰａ程度が維持されるように、流量制御弁１８Ａの開度が制御器１７から出力する制御信号により容量制御されるように構成されている。
【００３５】
例えば、被濃縮液供給管３１を介して濃縮器１０に供給する果汁などの被濃縮液の温度、流量、濃度などの変動により、濃縮器１０で生成される水蒸気の量が少なく、圧力センサ１６が計測する濃縮器１０内の圧力が所定圧力より低いときには、流量制御弁１８Ａの開度を増やす制御信号を制御器１７が出力して、熱源供給管１８を介して伝熱管１Ａに導入する駆動熱源の高温水蒸気の量を増やす。
【００３６】
そのため、再生器１で吸収液から蒸発分離して凝縮器２に供給され、伝熱管２Ａの内部を流れる水に放熱する冷媒蒸気の量は増加するので、温水管路２０を介して濃縮器１０の伝熱管１０Ａに循環供給される温水の温度は上昇し、濃縮器１０内で伝熱管１０Ａの管壁を介して果汁などの被濃縮液を加熱・濃縮する作用は強まり、濃縮器１０内で被濃縮液から生成される水蒸気の量は増加し、圧力センサ１６は所定の圧力を示すようになる。
【００３７】
逆に、濃縮器１０で被濃縮液から生成される水蒸気の量が多く、圧力センサ１６が計測する濃縮器１０内の圧力が所定圧力より高いときには、流量制御弁１８Ａの開度を減らす制御信号を制御器１７が出力して、熱源供給管１８を介して濃縮器１０の伝熱管１Ａに導入する駆動熱源の高温水蒸気の量を減らす。
【００３８】
そのため、再生器１で吸収液から蒸発分離して凝縮器２に供給され、伝熱管２Ａの内部を流れる水に放熱する冷媒蒸気の量は減少するので、温水管路２０を介して濃縮器１０の伝熱管１０Ａに循環供給される温水の温度は低下し、濃縮器１０内で伝熱管１０Ａの管壁を介して果汁などの被濃縮液を加熱・濃縮する作用は弱まり、濃縮器１０内で被濃縮液から生成される水蒸気の量は減少し、圧力センサ１６は所定の圧力を示すようになる。
【００３９】
また、本発明は上記実施形態に限定されるものではないので、特許請求の範囲に記載の趣旨から逸脱しない範囲で各種の変形実施が可能である。
【００４０】
例えば、再生器１内の吸収液を加熱して冷媒を蒸発分離し、吸収液を冷媒の吸収が可能な状態に再生するために熱源供給管１８を介して伝熱管１Ａに導入する駆動熱源としては、コージェネレーションシステムなどを冷却して高温になった冷却水であっても良い。また、燃焼バーナにより、再生器１内の吸収液を加熱・再生し、冷媒蒸気を発生させる構成とすることもできる。
【００４１】
そして、燃焼バーナにより再生器１内の吸収液を加熱・再生し、冷媒蒸気を発生させる構成としたときには、廃熱管１９には燃焼バーナから出る燃焼排ガスを流し、熱回収器１４ではその排ガスと温水管２０Ｃを流れる温水とを熱交換させて、排ガスが保有する廃熱を温水に回収する。
【００４２】
また、圧力センサ１６は温度センサに代替し、その温度センサが計測する濃縮器１０内の温度に基づいて、制御器１７が流量制御弁１８Ａの開度を調整し、伝熱管１Ａに導入する熱源流体の量（熱量）を制御するようにしても良い。
【００４３】
また、濃縮器１０で加熱・生成した水蒸気は、蒸発器３の伝熱管３Ａ、第１のデソーバ７の伝熱管７Ａ、第２のデソーバ８の伝熱管８Ａの少なくとも何れかに供給し、残余の伝熱管には他の熱源から供給される熱流体を供給するように構成することもできる。
【００４４】
また、吸収器４に設けられた伝熱管４Ａと、第２のリソーバ６に設けられた伝熱管６Ａと、第１のリソーバ５に設けられた伝熱管５Ａと、凝縮器２に設けられた伝熱管２Ａとが並列に介在するように温水管２０Ｂを構成し、温水管２０Ｂを流れる温水が伝熱管４Ａ、６Ａ、５Ａ、２Ａにおいて同時に加熱され、濃縮器１０の伝熱管１０Ａに循環供給可能に構成することなども可能である。
【００４５】
【発明の効果】
上記したように、本発明の吸収ヒートポンプ装置においては、吸収器と、第２のリソーバと、第１のリソーバと、凝縮器において加熱した温水を利用した加熱作用が可能であるので、従来の吸収ヒートポンプ装置より熱効率が高い。
【００４６】
また、本発明の吸収ヒートポンプ利用濃縮装置においては、加熱・濃縮時に生成した蒸気を吸収ヒートポンプの熱源に利用しているので、ヒートポンプ側だけで熱効率を改善した装置より、さらに熱効率を改善することができた。
【図面の簡単な説明】
【図１】本発明になる吸収ヒートポンプ利用濃縮装置の構成を示す説明図である。
【図２】従来技術を示す説明図である。
【符号の説明】
１  再生器
１Ａ  伝熱管
１Ｂ  散布器
２  凝縮器
２Ａ  伝熱管
３  蒸発器
３Ａ  伝熱管
３Ｂ  散布器
４  吸収器
４Ａ  伝熱管
４Ｂ  散布器
５  第１のリソーバ
５Ａ  伝熱管
５Ｂ  散布器
６  第２のリソーバ
６Ａ  伝熱管
６Ｂ  散布器
７  第１のデソーバ
７Ａ  伝熱管
７Ｂ  散布器
８  第２のデソーバ
８Ａ  伝熱管
８Ｂ  散布器
１０  濃縮器
１０Ａ  伝熱管
１１〜１３  熱交換器
１４  熱回収器
１５  予熱器
１６  圧力センサ
１７  制御器
１８  熱源供給管
１８Ａ  流量制御弁
１９  廃熱管
１９Ａ  スチームトラップ
２０  温水管路
２０Ａ、２０Ｂ、２０Ｃ  温水管
２１、２２  冷媒液管
２３〜２８  吸収液管
２９、３０  抽気管
２９Ａ、３０Ａ  開閉弁
３１  被濃縮液供給管
３２  濃縮液排出管
３３〜３８  蒸気管
Ｐ１、Ｐ２、Ｐ３、  吸収液ポンプ
Ｐ４  冷媒ポンプ
Ｐ５  温水ポンプ
１００、１００Ｘ  吸収ヒートポンプ装置
２００  吸収ヒートポンプ利用濃縮装置
【図１】
2004270996.tif 000003
【図２】
2004270996.tif 000004